(57)【要約】      （修正有）【課題】製品の運搬および保存の間は機能要素を十分に保護すると共に製品の使用に際しては機能要素の機能を損なうことのない包装を提供する。【解決手段】透明フィルムで包装された物品であって次の（１）〜（５）の構成を有するもの。（１）物品１は角柱形状の外観を呈する。（２）物品１の第一及び第二の面２，６に露出して形成された機能要素が設けられる。（３）物品１の周囲が1枚の帯状の透明フィルム８で巻かれることにより、物品の第一及び第二の面２，６が透明フィルム８で覆われている。（４）少なくとも二箇所において透明フィルム８と物品１とが粘着剤によって接着されている。（５）少なくとも物品１の第一及び第二の面２，６と透明フィルム８との間には粘着剤が存在していない。【選択図】図３
2006044744.tif 000002
【特許請求の範囲】
【請求項１】
透明フィルムで包装された物品であって次の（１）〜（５）の構成を有するもの。
（１）物品は角柱形状の外観を呈する。
（２）物品の第一及び第二の面に露出して形成された機能要素が設けられる。
（３）物品の周囲が1枚の帯状の透明フィルムで巻かれることにより、物品の第一及び第二の面が透明フィルムで覆われている。
（４）少なくとも二箇所において透明フィルムと物品とが粘着剤によって接着されている。
（５）少なくとも物品の第一及び第二の面と透明フィルムとの間には粘着剤が存在していない。
【請求項２】
透明フィルムで包装された物品であって次の（１）〜（５）の構成を有するもの。
（１）物品は角柱形状の外観を呈する。
（２）物品の第一の面に穴が設けられると共に第二の面に文字や記号等の表示がなされている。
（３）物品の周囲が1枚の帯状の透明フィルムで巻かれることにより、物品の第一及び第二の面が透明フィルムで覆われている。
（４）少なくとも二箇所において透明フィルムと物品とが粘着剤によって接着されている。
（５）少なくとも物品の第一及び第二の面と透明フィルムとの間には粘着剤が存在していない。
【請求項３】
請求項２記載の包装された物品であって次の（１）〜（３）の構成を備えるもの。
（１）物品の第一面の穴の周囲には溝が形成されている。
（２）弾性材料からなる環状のパッキンが着脱可能に溝にはめ込まれている。
（３）パッキンは透明フィルムで押さえられており、溝からの脱落が防がれている。
【発明の詳細な説明】
【技術分野】
【０００１】
本発明は物品、例えば電子機器、の包装に関するものである。
【背景技術】
【０００２】
製品の運搬および保存を行う間、製品の表面に露出するように形成された機能要素を保護するために、粘着テープが用いられる。例えば、特許文献１には、インク・ジェット・プリンターのインク・カートリッジ外面に設けられたノズルを保護するために、ノズルの露出面に粘着テープを貼り付けることが開示されている。
【特許文献１】特開平０６−３２０７４１号公報
【発明の開示】
【発明が解決しようとする課題】
【０００３】
上述のように保護される製品に粘着テープを直接貼付した場合、その箇所の表面状態（例えば製品表面に印刷された製品型番）を目視できず、梱包作業が正確に行われたかどうかを確認することができない。また、製品を使用するにあたって粘着テープをはがすと、機能要素に粘着剤が残留する可能性がある。すなわち、残留した粘着剤が機能要素の機能を損なう可能性がある。たとえば、ノズル孔が粘着剤によって塞がれると、ノズル孔からインクが射出されなくなる。本発明の目的は、製品の運搬および保存の間は機能要素を十分に保護すると共に製品の使用に際しては機能要素の機能を損なうことのない包装を提供することにある。
【課題を解決するための手段】
【０００４】
課題を解決するための第一の手段は、透明フィルムで包装された物品であって次の（１）〜（５）の構成を有するものである。すなわち、
（１）物品は角柱形状の外観を呈する。
（２）物品の第一及び第二の面に露出して形成された機能要素がそれぞれ設けられる。
（３）物品の周囲が1枚の帯状の透明フィルムで巻かれることにより、物品の第一及び第二の面が透明フィルムで覆われている。
（４）少なくとも二箇所において透明フィルムと物品とが粘着剤によって接着されている。
（５）少なくとも物品の第一及び第二の面と透明フィルムとの間には粘着剤が存在していない。
【０００５】
課題を解決するための第二の手段は、透明フィルムで包装された物品であって次の（１）〜（５）の構成を有するものである。すなわち、
（１）物品は角柱形状の外観を呈する。
（２）物品の第一の面に穴が設けられると共に第二の面に文字や記号等の表示がなされている。
（３）物品の周囲が1枚の帯状の透明フィルムで巻かれることにより、物品の第一及び第二の面が透明フィルムで覆われている。
（４）少なくとも二箇所において透明フィルムと物品とが粘着剤によって接着されている。
（５）少なくとも物品の第一及び第二の面と透明フィルムとの間には粘着剤が存在していない。
【０００６】
また、課題を解決する第三の手段は、第二の手段に加えて次の（１）〜（３）の構成を備えるものである。すなわち、
（１）物品の第一面の穴の周囲には溝が形成されている。
（２）弾性材料からなる環状のパッキンが着脱可能に溝にはめ込まれている。
（３）パッキンは透明フィルムで押さえられており、溝からの脱落が防がれている。
【発明の効果】
【０００７】
第一及び第二の発明によれば、透明フィルムを用いて包装しているので、包装状態のまま物品の表面を見ることができると共に、物品から透明フィルムを剥がす際に、穴（機能要素）の設けられた第一の面、および文字や記号（機能要素）が表示された第二の面には粘着剤が残留するおそれが無いので、穴や表示（機能要素）の機能を損なうことなく包装することができる。
【０００８】
第二の発明によれば、第一の発明の効果に加えて、脱落しやすいパッキンを確実に保持して包装すると共に、包装状態のままパッキンの有無を確認することができる。
【発明を実施するための最良の形態】
【０００９】
本発明を実施するための最良の形態を次の実施例１に示す。
【実施例１】
【００１０】
図１は包装前の物品の斜視図であり、（ａ），（ｂ）は異なる視点を示す。図２は包装用の透明フィルムの展開図を示す。図３は包装後の物品の斜視図であり、（ａ），（ｂ）は異なる視点を示す。図１（ａ）と図３（ａ）とが対応し、図１（ｂ）と図３（ｂ）とが対応する。図１〜３において同一の部分には同一の符号を付す。
【００１１】
まず、包装前の物品１の状態を図１を参照しつつ説明する。物品１は具体的には気体流量計であって、外観が直方体、すなわち四角柱形状、を呈するものである。この気体流量計１の底面が第一の面２を成す。第一の面２には二つの穴３，４が設けられており、一方が気体流入口、他方が気体流出口として機能する。すなわち、気体流量計１の内部には図示しない流路が設けられており、この流路の両端が穴３，４として第一の面２に現れている。気体流量計１の内部には図示しない熱式流量検知器が設けられており、流路に流れる気体の流量を検知する。第一の面２には、二つの穴３，４の周囲を囲むように眼鏡形の溝が形成され、その溝に同形のゴム製のパッキン５がはめ込まれている。このパッキン５は、第一の面２がマニホールドの面に対向して取り付けられた際に、面間からの気体の漏れを防ぐ。気体流量計１の一側面が第二の面６を成す。第二の面６には図示しない文字や記号等の表示機能要素が印刷されている。すなわち、製品型番、仕様、機能、商標等が表示されている。気体流量計１の一面から導出されている電線７は、気体流量計１の内部の熱式流量検知器に電力を供給すると共に熱式流量検知器からの流量信号を外部へ取り出すためのものである。
【００１２】
包装用の透明フィルム８は、図２に展開図を示す通り、長方形の帯状の合成樹脂製シートである。図中の破線は折り曲げ位置を表す仮想線であり、この仮想線によって４つの部分に区分される。これらの４つの区分は、四角柱形状の気体流量計１の各面にそれぞれ対応する。すなわち、透明フィルム８の一部分８１が流量計１の第一の面２に対応し、透明フィルム８の一部分８２が流量計１の第二の面６に対応する。そのため、一部分８１及び８２には粘着剤が塗布されていない。また、第一および第二の面以外に対応する部分の透明フィルム８には、粘着剤８３，８４が塗布されている。この粘着剤８３，８４は、その粘性によって透明フィルム８を流量計１の表面に仮止め接着するものである。粘着剤８３，８４は流量計１の表面を構成する材質よりも、透明フィルム８の材質に対して高い化学的親和性を有する。それゆえ、透明フィルム８を剥がす際に粘着剤８３，８４は全て透明フィルム８に粘着し、流量計１の表面には残留しない。
【００１３】
包装後の物品１の状態を、図３を参照しつつ説明する。気体流量計１の全周囲に透明フィルム８を巻き付けて包装したものである。気体流量計１の、第一の面２及び第二の面６を除く面に粘着剤８３及び８４が接着するように透明フィルム８が巻きつけられている。透明フィルム８の一部分８１が気体流量計１の第一の面２に対向し、透明フィルム８の一部分８２が気体流量計１の第二の面６に対向しており、これらにおいては透明フィルム８と気体流量計１の表面との間に粘着剤が存在していない。また、透明フィルム８の一端部８５が気体流量計１の端部からはみ出すように設けられており、透明フィルム８を気体流量計１から取り去る際の手がかりになる。当然ながら、この一端部８５には粘着剤は塗布されていない。
【００１４】
上記の包装によれば、物品１の表面が傷つくこと、それによって物品１の表面６に記載された表示が損なわれることを防止できる。また、物品１に設けられた穴３，４の内部へ埃などの異物が侵入して物品１内部の、例えば熱式流量検知器の、機構を損なうことを防止できる。さらに、着脱可能なパッキンが物体１から脱落することを防止できる。
【００１５】
なお、上記の実施例では物品１を気体流量計として例示したが、これに限られるものではない。また、物品１の形状を四角柱として例示したが、三角柱、五角柱等の多角柱形状であっても構わない。また、物品１の表面に露出するように形成された機能要素として穴３，４および表示印刷を例示したが、これに限るものではない。例えば、検出器の検出素子や機械的な位置決め用の凹凸形状なども、ここで言う機能要素に相当する。さらに、透明フィルム８は、物品１の表面が透けて見える程度の透明度を有していれば機能する。したがって、合成樹脂製に限るものではなく、パラフィン紙等でも使用できる。その他、材質や形状についての種々の変形例が想定されるが、全て本発明の技術的範囲に属するものである。
【図面の簡単な説明】
【００１６】
【図１】包装前の物品の斜視図を表す。
【図２】包装用の透明フィルムの展開図を表す。
【図３】包装後の物品の斜視図を表す。
【符号の説明】
【００１７】
１  物品（気体流量計）
２  物品の第一の面
３，４      
３，４      
穴（機能要素）
５  パッキン
６  物品の第二の面
７  電線
８  透明フィルム
８１  物品の第一の面に位置する透明フィルムの一部分
８２  物品の第二の面に位置する透明フィルムの一部分
８３，８４  透明フィルムに塗布された粘着剤
８５  透明フィルムの一端部
【図１】
2006044744.tif 000003
【図２】
2006044744.tif 000004
【図３】
2006044744.tif 000005